(57)【要約】【課題】操作パイプを本体から切り離す際、床面に本体を置いた状態での切り離しが主で、一旦掃除作業を中断し、把手部を持ちながら、本体を固定し、指で手動操作部を操作することで、掃除動作に無駄が生じる。【解決手段】手動操作部の端部に、ワイヤー等からなる連結部材が本体長手下方に設けられ、本体長手方向にスライド可能に配置された補助操作部の係止部に連結し、補助操作部は、本体後面下方の開口孔より外方へ突出して上下スライド可能に配置する。【選択図】図１
2011167275.tif 000002
【特許請求の範囲】
【請求項１】
掃除機本体と、前記掃除機本体の移動用の把手部と、前記掃除機本体の前方にに設けた挿入端部に、前記掃除機本体に着脱自在に挿脱される操作パイプと、前記操作パイプの着脱規制を行うロック手段を構成する手動操作部を把手部又近傍に設け、前記手動操作部と連結動作する補助用操作部を前記掃除機本体の後面下方に設けた電気掃除機。
【請求項２】
補助操作部の端面は、本体外外郭より内側に位置するように設けた請求項１記載の電気掃除機。
【請求項３】
補助操作部は、掃除機本体長手方向に対してスライド動作可能とし、使用者が触れる操作部にすべり防止形状を設けた請求項１または２に記載の電気掃除機。
【請求項４】
補助操作部の外郭に緩衝材を設けた請求項１〜３のいずれか１項に記載の電気掃除機。
【発明の詳細な説明】
【技術分野】
【０００１】
本発明は、掃除機本体に着脱自在に取付けられる操作パイプを備えた電気掃除機に関するものである。
【背景技術】
【０００２】
従来の電気掃除機について、図３を用いて説明する。従来、着脱自在な操作パイプを備えた電気掃除機には、操作パイプが掃除機本体に接続された状態を保持するロック手段が設けられていると共に、ロック手段を手動により解除操作し、掃除機本体から操作パイプを抜き外し可能とするための解除部材が把手部又はその近傍に設けられている（例えば、特許文献１参照）。
【０００３】
この特許文献１では、掃除機本体の持ち運び用ハンドルの握り部に操作パイプの挿入端部が挿脱され、挿入端部にその径方向に移動可能に設けられたロック爪と、握り部の操作パイプ嵌合部に設けられてロック爪に係脱するロック孔とにより、ロック手段が形成されていると共に、外面から手動でスライド操作される解除部材が本体持ち運び用ハンドル周りに取付けられている。解除部材が操作パイプ着脱位置に移動されるに伴い、この解除部材がロック爪を押してロック孔から外すので、持ち運び用ハンドルの握り部に対する操作パイプの着脱が可能となる。
【先行技術文献】
【特許文献】
【０００４】
【特許文献１】特開２００５−２１１２７４号公報
【発明の概要】
【発明が解決しようとする課題】
【０００５】
従来、この種の操作パイプの係合手段として上記に示すようにハンドルを持って本体把手部に設けた係合部材を押すことで本体からハンドルの切離しを行う。一般に、操作パイプは、床より高い位置の掃除を行う際に好適であり、操作パイプを本体から切り離す際、本体を倒立状態に床面に置いた上で、身をかがめ一方の手で持ち運び用ハンドルを保持しながら解除部材を操作し、もう片方で操作パイプを持ち、その長手方向にスライドさせながら本体からの切り離しを行うが、床面に本体を置いた状態での切り離しが主で、一旦掃除作業を中断し、把手部を持ちながら、本体を固定し、指で手動操作部を操作することで、掃除動作に無駄が生じていた。
【０００６】
本発明の目的は、掃除機本体に着脱自在は操作パイプの解除操作を楽にし、掃除動作に無駄が生じることのなく掃除作業の継続がし易い電気掃除機を提供することにある。
【課題を解決するための手段】
【０００７】
上記従来の課題を解決するために本発明は、掃除機本体と、握り部及びこの握り部に連続して前記握り部の握持を可能とするスペースを有して前記掃除機本体に設けられた本体持ち運び用ハンドルと、挿入端部を有しこの端部を前記掃除機本体に着脱自在に挿入して取り付けられる操作パイプと、挿入端部の抜け止めをするロック手段と、このロック手段を解除操作して前記操作パイプの抜き出しを可能とする解除部材とを備える電機掃除機において、前記解除部材を有する手動操作部が前記把持部に配置され、前記手動操作部と前記手動動作と連結し解除動作する補助用操作部を本体後面に下方に設けている。
【発明の効果】
【０００８】
本発明によれば、本体後面下側に手動動作と連結し解除動作する補助用操作部を設けたことで、持ち運び用把手部で本体を支えると共に、もう片方で操作パイプを持ち、足先でハンドルの解除用操作部を操作することで操作パイプの取出しが容易に行え利便性が向上し、掃除作業の継続がし易く使い勝手の良い電気掃除機を提供できる。
【図面の簡単な説明】
【０００９】
【図１】本発明の実施の形態１を示す電気掃除機の側面図
【図２】同電気掃除機の背面図
【図３】従来の電気掃除機の要部斜視図
【発明を実施するための形態】
【００１０】
(実施の形態１）
以下、本発明に基づいた各実施の形態における電気掃除機の構造について、図１から２を参照しながら説明する。なお、各実施の形態において、同一または相当部分については、同一の参照番号を付すことにより、重複する説明は繰り返さないこととする。
【００１１】
本実施形態に係る電気掃除機は、縦型掃除機であり、掃除機本体１が吸込口体２の上方に配置されている。この電気掃除機は、掃除機本体１と、吸込口体２と、操作パイプ３及び集塵室４とを備えている。また、本体持ち運び用把手部５とを有し、掃除機本体１内部に電動送風機６（図示せず）を備え、び掃除機本体１の天面に前記電動送風機６の入り切り動作をするスイッチ７を配置している。
【００１２】
吸込口体２から吸い込まれた塵埃および空気は、吸塵通路８を流通して、噴出口（図示せず）から集塵室４内に吸い込まれる。集塵室４は、略円筒状に形成されており、噴出口は、集塵室４の内周面に沿う方向に空気および塵埃を噴出する。このため、集塵室４内に吸い込まれた塵埃および空気は、集塵室４内で竜巻状に旋回しながら下降する。これにより、塵埃を遠心力によって分離することができる。そして、塵埃が分離された空気は、下降しながら内筒に設けられたフィルター（図示せず）を通り、微細な塵埃が濾過された状態で、排出口１１から外方に排出される。
【００１３】
吸込口体２は、前部下面には、左右方向に延びる吸込口が設けられており、吸込口体２が被掃除面に沿って移動可能に回転されるローラー１３を、吸込口体２の前部中央から後方に延び、左右両側に回転自在に取り付けている。また、掃除機本体１の下端部に接続可能な接続管１４を備え、前記接続管１４は起倒できるように回転自在に吸込口体２に固定保持され取り付けられている。
【００１４】
この接続により吸込口体２内と掃除機本体１の吸塵通路とが連通されている。つまり、吸込口体２内部に設けた回転ブラシ（図示せず）によりかきあげられた含塵空気は、接続管１４を通り、吸塵通路８に導かれるようになっている。掃除の際に、吸込口体２に対して接続管１４とともに掃除機本体１を前後方向に回動させることにより、被掃除面に沿った吸込口体２に対して掃除機本体１を任意角度に傾けることが出来る。また、掃除機本体１を格納する際等には接続管１４が起き上がるように回動されることにより、接続管１４とともに掃除機本体１を吸込口体２上に自立させた状態に保持できる。
【００１５】
集塵室４に連通する噴出口は、上下からなる二股形状になっており、もう他端は湾曲形状したパイプ１６と嵌合し、集塵ホース１７と連なり操作パイプ３に回転自在に保持されている。
【００１６】
上端が開放され略円筒からなる収納部１８は、操作パイプ３の装着孔として機能するもので、底壁を有し、前記操作パイプ３を収納保持している。この収納部１８の上方開口近
傍には、ロック孔１９が開けられている。ロック孔１９に臨むよう係合突出部２０が付勢体２１により付勢されている。収納部１８は、別体として掃除機本体１の前側を構成する部材に取り付けることで、必要な強度を有し、操作パイプ３を取り付け保持するのにも必要な強度を有し望ましい。
【００１７】
係合突出部２０と手動操作部２２は、ロック手段２３を形成しており、このロック手段２３により、操作パイプ３が、収納部１８の所定の深さまで装着されることで、係合突出部２０と対向したパイプ凹部２４に係合することで抜け止めされ、図に示すように掃除機本体１の長手方向に延びて操作パイプ３が取り付けられる。収納部１８の奥底に閉塞体（図示せず）を取り付けており、この閉塞体と圧接されることにより密閉されるようになっている。
【００１８】
そして、吸込口体２は、接続管１４を介して集塵室４に連通しているが、掃除機本体１を立てた状態では通路が遮断される構造としている。また上記したように掃除機本体１に装着された操作パイプ３の先端部は奥で密閉されるようになっている。したがって操作パイプ３の先端部からの吸込みは、掃除機本体１を立てた状態で操作パイプ３を掃除機本体１から取外すことで使用することが出来るようになっている。
【００１９】
操作パイプ３は、操作部を形成する大型パイプ２７とこの大径パイプ２７内に挿入された小径パイプ２８とを有し、この大径パイプ２７が操作パイプ３内を摺動移動することにより伸縮するものであり、そして、大型パイプ２７に設けたボタン２９を押すと、大径パイプ２７の摺動移動が可能となり、そのボタン２９の押圧を解除すると大径パイプ２７はその位置でロックされるようになっている。また、大径パイプ２７に設けた取付凹部２４とを有し、収納部１８に所定の高さに収納すると、係合突出部２０が上記取付凹部２４にロックされて、操作パイプ３が掃除機本体１に装着される。係合突出部２０のロックの解除は掃除機本体の取手の上面に設けた手動操作部２２を引くことにより行われるようになっている。
【００２０】
手動操作部２２の端部に、ワイヤー等からなる連結部材３４が掃除機本体１の長手下方に設けられ、掃除機本体１の長手方向にスライド可能に配置された補助操作部３５の係止部に連結されている。補助操作部３５は、後面下方に開口孔３８を設け、その開口孔３８より外方へ突出して補助操作部３５が上下スライド可能に配置されている。操作部端面は、本体外郭より内方に突出して設け、その上面は、凹凸面３６を形成して設けている。さらに、下面には、カットパイプ状の起毛布からなる緩衝材３７を接着固定して設けている。
【００２１】
電気掃除機の通常の使用状態では、掃除機本体１の上方に延びるよう取り付けられた操作パイプ３を持ち、吸込口体２に対して掃除機本体１を斜めに回動さした状態で押し引きしながら掃除を行う。この場合、掃除機本体１に対して操作パイプ３の抜け止めをしている係合突出部２０が凹部に嵌まり込んでいることで不用意に抜けないよう保持されている。
【００２２】
使用者が操作パイプ３の取り外しを意図する場合には、手動操作部２２に指をかけてスライドすることにより、係合突出部２０が収納部１８の外側へ移動することでロックを解除し、操作パイプ３を掴んで掃除機本体から抜き外すことができる。又は、補助用操作部３５をスライドさせることでも、掃除機本体からの抜き外しができる。
【００２３】
吸込口体２は、床等を掃除する際に好適である一方、操作パイプ３は、床より高い位置の掃除を行う際に好適である。床より高い位置を掃除する際には、掃除対象箇所の位置によって操作パイプ３の長さを適宜変更しながら掃除するのが一般的である。ただし、床面
の角隅やサッシの溝は、先端が細長い操作パイプ３から、塵埃を吸うことが風速もあり塵埃の除去に適している。
【００２４】
掃除場所に応じ、吸込口体２から操作パイプ３に切り替えることで、無駄なく掃除作業が行うことが可能であり、また、持ち運び用把手部５を持って、少し離れた所の塵埃を吸い取る際など、操作パイプ３をもち、足先で補助操作部３５スライドさせることで、本体から簡単に、操作パイプ３を抜き出すことができ、サッと塵埃の除去が行えすむスムーズに継続掃除が行えるものである。
【００２５】
不注意に、床面や家具等の凸部に補助操作部３５に当たっても、外郭より内方に補助操作部が位置しているため、ロック部材が動作し、操作パイプ３がはずれることなく安心して使用できる。また、外観に凹凸３６のリブを形成してることで、グリップ力が向上し滑ることなくスライドさせることができる。また、外観に起毛布等からなる緩衝材３７を設けたことで、床面や家具等に当接しても傷つき防止が行える。
【産業上の利用可能性】
【００２６】
以上のように、本発明は、電気掃除機であって、特に縦型の電気掃除機に好適である。
【符号の説明】
【００２７】
１  掃除機本体
３  操作パイプ
５  把手部
１８  収納部
２２  手動操作部
２３  ロック手段
３５  補助用操作部
【図１】
2011167275.tif 000003
【図２】
2011167275.tif 000004
【図３】
2011167275.tif 000005